(57)【要約】【課題】着座者の背を確実に支持することができるとともに、幅方向一方側から後方へと振り向くような姿勢をとった場合に、当該姿勢に追従させることが可能な椅子を提供する。【解決手段】椅子１は、脚体１０と、該脚体１０に支持される背凭れ支持体２０と、該背凭れ支持体２０に支持される背凭れ後部支持部材４０と、該背凭れ後部支持部材４０に支持され、着座者の背を支持する背凭れ５０とを備え、前記背凭れ５０は、前記着座者の背を受けるとともに、該背に応じて変位可能な可撓性を有する張り材５１と、前記張り材５１に取り付けられるとともに下端が前記背凭れ後部支持部材４０に連結され、該張り材５１から作用する力に応じて捩れ変形可能な幅方向に離間した一対の縦枠部５３Ａ，５３Ｂとを有することを特徴とする。【選択図】図４
2014079511.tif 000002
【特許請求の範囲】
【請求項１】
脚体と、
該脚体に支持される背凭れ支持体と、
該背凭れ支持体に支持される背凭れ後部支持部材と、
該背凭れ後部支持部材に支持され、着座者の背を支持する背凭れとを備え、
前記背凭れは、
前記着座者の背を受けるとともに、該背に応じて変位可能な可撓性を有する張り材と、
前記張り材に取り付けられるとともに下端が前記背凭れ後部支持部材に連結され、前記着座者の背から作用する力に応じて捩れ変形可能な幅方向に離間した一対の縦枠部とを有することを特徴とする椅子。
【請求項２】
請求項１に記載の椅子において、
前記背凭れ後部支持部材は、下方から上方に向かうにしたがって幅方向中央からそれぞれ外側へと互いに離間して、上端で前記一対の縦枠部に連結されるとともに、該縦枠部の捩れにともなって変位可能な一対の連結片を有することを特徴とする椅子。
【請求項３】
請求項１または請求項２に記載の椅子において、
前記一対の縦枠部は、上方に向かうにしたがって前方へ傾斜するように傾斜された下材と、該下材に連結されて前記着座者の背から作用する力で捩れ変形可能な上材とを有することを特徴とする椅子。
【請求項４】
請求項１から請求項３のいずれか一項に記載の椅子において、
前記縦枠部は、前方に向かって凸となるように湾曲形成されていることを特徴とする椅子。
【発明の詳細な説明】
【技術分野】
【０００１】
本発明は、椅子に関するものである。
【背景技術】
【０００２】
椅子は、脚体と、該脚体の上部に設けられた座部と、該座部に着座する着座者を支持する背部とを有することを基本構成として、一般に様々な構成のものが知られている。
【０００３】
例えば、椅子を構成する背部の支持構造として、back memberと、脚体から上方に向かって延出し、back memberの後面における幅方向に離間した部分を後方から支持するarmとを有するものが提案されている（下記特許文献１参照）。
【０００４】
また、背凭れと、該背もたれの幅方向略中央の上端及ぶ下端をそれぞれ支持するキャリア部材とを有する椅子が提案されている（下記特許文献２参照）。
このような椅子では、キャリア部材に支持された背もたれが、着座者の背を確実に支持することができる。
【先行技術文献】
【特許文献】
【０００５】
【特許文献１】米国特許第７２４９８０２号明細書
【特許文献２】特表２００８−５０６４８６号公報
【発明の概要】
【発明が解決しようとする課題】
【０００６】
ここで、上記の特許文献１に記載の椅子において、着座者がback memberの幅方向一方側から後方へと振り向くような姿勢をとった場合には、back memberの幅方向一方側におけるarmに支持される部分よりもさらに幅方向外側の部分は後方へと撓む。しかしながら、back memberにおける幅方向一方側でarmに支持される部分よりも他方側は変化しないため、back member全体としての変形量が制限され、着座者の後方へと振り向くような姿勢に沿って変形することが困難であるという問題点がある。
一方、back memberの厚みを薄くして変形しやすくすると強度が不足して、着座者を確実に支持することが困難となる。
【０００７】
また、上記の特許文献２に記載された椅子において、着座者が背もたれの幅方向一方側から後方へと振り向くような姿勢をとった場合には、幅方向一方側の背もたれは後方に向かって撓むように変化する。しかしながら、背もたれは幅方向略中央においてキャリア部材に支持されているため、支持された部分よりも幅方向他方側の背もたれは変形することがなく、着座者の後方へと振り向くような姿勢に沿って変形することが困難であるという問題点がある。
【０００８】
本発明は、上記事情に鑑みてなされたものであり、着座者の背を確実に支持することができるとともに、幅方向一方側から後方へと振り向くような姿勢をとった場合に、当該姿勢に追従させることが可能な椅子を提供するものである。
【課題を解決するための手段】
【０００９】
上記目的を達成するために、本発明は以下の手段を採用している。
すなわち、本発明に係る椅子は、脚体と、該脚体に支持される背凭れ支持体と、該背凭れ支持体に支持される背凭れ後部支持部材と、該背凭れ後部支持部材に支持され、着座者の背を支持する背凭れとを備え、前記背凭れは、前記着座者の背を受けるとともに、該背に応じて変位可能な可撓性を有する張り材と、前記張り材に取り付けられるとともに下端が前記背凭れ後部支持部材に連結され、前記着座者の背から作用する力に応じて捩れ変形可能な幅方向に離間した一対の縦枠部とを有することを特徴とする。
【００１０】
このように構成された椅子では、着座者が着座し、着座者の背が背凭れの張り材で受け止められると、着座者の荷重が張り材から一対の縦枠部に伝えられる。縦枠部は、背凭れ支持体に支持された背凭れ後部支持部材に連結支持されているため、縦枠部、背凭れ後部支持部材及び背凭れ支持体により着座者からの荷重を確実に支持することができる。
一方、幅方向一方側から後方へと振り向くような姿勢をとった場合には、着座者からの荷重は、背凭れの幅方向一方側に偏って作用し、偏った側の縦枠部に対して縦枠部を捩れ変形させる荷重が作用する。よって、縦枠部は後側方に向かって捩れ変形するとともに、支持している背凭れを後側方へと傾斜させることができる。
また、背凭れは張り材で構成されているため、後側方へと傾斜するとともに着座者の背の変形に追従することができる。
【００１１】
また、本発明に係る椅子は、前記背凭れ後部支持部材は、下方から上方に向かうにしたがって幅方向中央からそれぞれ外側へと互いに離間して、上端で前記一対の縦枠部に連結されるとともに、該縦枠部の捩れにともなって変位可能な一対の連結片を有することが好ましい。
【００１２】
このように構成された椅子では、着座者からの荷重が背凭れの張り材から一対の縦枠部に伝えられると、縦枠部は捩れ変形する。縦枠部と連結された一対の連結片は、縦枠部の捩れ変形にともなって変位する。よって、幅方向一方側から後方へと振り向くような姿勢をとった場合には、一方側の縦枠部が後側方に向かって捩れ変形するにともなって、一対の連結片は上端を縦枠部に連結された状態を維持しながら後側方へと移動することができる。よって、背を張り材とともに包み込むように受け止めることができるため、着座者の背や肩の変形に追従した状態で安定的に支持することができる。
【００１３】
また、本発明に係る椅子は、前記一対の縦枠部は、上方に向かうにしたがって前方へ傾斜するように傾斜された下材と、該下材に連結されて前記着座者の背から作用する力で捩れ変形可能な上材とを有していてもよい。
ていてもよい。
【００１４】
このように構成された椅子では、下材は張り材とともに着座者の背より下方の腰回り等を確実に支持するとともに、上材は着座者の背から作用する力により捩れ変形するため、着座者の荷重にしたがって着座者の背に追従にするように変形して背を張り材とともに包み込むように受け止めることができる。よって、幅方向一方側から後方へと振り向くような姿勢をとった場合には、下材が張り材とともに着座者の腰回りを支持しつつ、上材が捩れ変形して着座者の背や肩に変形に追従した状態で安定的に支持することができる。
【００１５】
また、本発明に係る椅子は、前記縦枠部は、前方に向かって凸となるように湾曲形成されていてもよい。
【００１６】
このように構成された椅子では、縦枠部が前方に向かって凸となるように湾曲しているため、前後方向へは縦枠部自体の変形を抑制して着座者の荷重を確実に受け止めることができる。また、幅方向には、縦枠部自体が着座者の背に追従するように変形して背を包み込むように受け止めることができる。よって、幅方向一方側から後方へと振り向くような姿勢をとった場合には、縦枠部自体が変形するとともに、背を張り材とともに包み込むように受け止めることができるため、着座者の背や肩に変形に追従した状態で安定的に支持することができる。
【発明の効果】
【００１７】
本発明に係る椅子によれば、着座者の背を確実に支持することができるとともに、幅方向一方側から後方へと振り向くような姿勢をとった場合に、当該姿勢に追従させることができる。
【図面の簡単な説明】
【００１８】
【図１】本発明の第一実施形態に係る椅子を斜め前方から見た斜視図である。
【図２】本発明の第一実施形態に係る椅子の上部を後方から見た斜視図である。
【図３】本発明の第一実施形態に係る椅子の（ａ）通常時の側面図であり、（ｂ）着座者が背を後方へ倒した場合の側面図である。
【図４】本発明の第一実施形態に係る椅子を正面から見た斜視図である。
【図５】本発明の第一実施形態に係る椅子の側面図である。
【図６】本発明の第一実施形態に係る椅子の（ａ）通常時を上方から見た斜視図であり、（ｂ）幅方向一方側から後方へと振り向くような姿勢をとった場合を上方から見た斜視図である。
【図７】本発明の第一実施形態に係る椅子の（ａ）通常時の図４のＰ−Ｐ断面図であり、（ｂ）着座者が背凭れに凭れかかった状態の図４のＰ−Ｐ断面図である。
【図８】本発明の第二実施形態に係る椅子を正面から見た斜視図である。
【図９】本発明の第二実施形態に係る椅子の側面図である。
【発明を実施するための形態】
【００１９】
（第一実施形態）
以下、本発明の第一実施形態に係る椅子について、図面を参照して説明する。
図１に示すように、本実施形態に係る椅子１は、床面Ｆ上に設けられた脚体１０と、該脚体１０に支持された背凭れ支持体２０と、該背凭れ支持体２０に設けられ着座者が着座可能な座部３０と、背凭れ支持体２０に支持された背凭れ後部支持部材４０と、該背凭れ後部支持部材４０に支持され着座者の背を支持する背凭れ５０とを備えている。以下、各構成の詳細を説明する。なお、以下の説明においては、着座者が着座、離座する方向を前後方向、着座者が着座する側を前方、反対側を後方とし、また、前後方向に直交する水平面内の方向を幅方向とし、幅方向に椅子から離間側を側方とする。
【００２０】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。脚柱１３は、下部が複数の脚杆１２の基端に連結されており、上方に向けて立設されている。また、この脚柱１３の上部には、背凭れ支持体２０を後傾可能とするリクライニング機構（不図示）が内蔵された支基１４が取り付けられている。
【００２１】
（背凭れ支持体）
背凭れ支持体２０は、支基１４の幅方向両側方に基部が枢着された一対の前向腕部２１と、該前向腕部２１の基部から上方に向かって延出するとともに座部３０を支持する一対の上向腕部２２と、該前向腕部２１の基部から後方に向かって延出する一対の後向腕部２３とを有している。
【００２２】
図２に示すように、この一対の後向腕部２３は、後方に向かうにしたがってしだいに互いに近接するように配され後端にて互いに連結されることで、一体として下向きＶ字状に配されている。そして、一対の後向腕部２３の後端は、後述する背凭れ後部支持部材４０の下部に固定されている。
【００２３】
また、図１に示すように、背凭れ支持体２０には、側方から上方に向かって延出する肘掛け２６が設けられている。
【００２４】
（座部）
図３に示すように、座部３０は、支基１４に対して前後方向にスライド可能に前部が支持されるとともに、背凭れ支持体２０の上向腕部２２に枢着されている。そして、支基１４のリクライニング機構により背凭れ支持体２０が後方へ傾斜するにともない、座部３０は支基１４に対して相対的に後方に移動するとともに後側を下方に向かって傾動するように構成されている。
【００２５】
（背凭れ）
図２に示すように、背凭れ５０は、着座者の背を受ける張り材５１と、該張り材５１が取り付けられ背凭れ後部支持部材４０における上部連結部４３と連結された上枠部５２と、該上枠部５２と連結されるとともに張り材５１が取り付けられ幅方向に離間した一対の縦枠部５３Ａ，５３Ｂ（５３）とを有する。
【００２６】
張り材５１は、着座者の背を受け、背の姿勢に応じて変形可能な可撓性を有する部材で構成されている。具体的には、本実施形態ではメッシュ状の素材で形成されているおり、メッシュを構成する糸材が弾性的に伸縮することにより、全体として弾性的に撓み変形可能となっている。この張り材５１は、上枠部５２と一対の縦枠部５３とで囲まれた部分に設けられ、端部がこれら上枠部５２及び一対の縦枠部５３に固定されている。
【００２７】
上枠部５２は、幅方向に沿って延在して、その両端が背凭れ後部支持部材４０の上端にそれぞれ連結されるとともに、一対の縦枠部５３Ａ，５３Ｂの上端にそれぞれ連結されている。
【００２８】
縦枠部５３Ａ，５３Ｂはともに、着座者の背から作用する力に応じて捩れ変形可能に構成されている。また、一方の縦枠部５３Ａは、下材５７Ａと、該下材５７Ａの上端に連結された上材５６Ａとを有し、同様に他方の縦枠部５３Ｂも、下材５７Ｂと、該下材５７Ｂの上端に連結された上材５６Ｂとを有している。
【００２９】
図２及び図５に示すように、下材５７Ａ、５７Ｂは、下端が背凭れ後部支持部材４０の下端に連結され、上方に向かうにしたがってしだいに前方向かい且つ幅方向外側に拡開するように形成されている。また、下材５７Ａ、５７Ｂのそれぞれは、上方に向かうにしたがって、断面寸法が小さくなるように形成されている。
【００３０】
上材５６Ａ、５６Ｂは、着座者の背から作用する力に応じて捩れ変形可能、且つ着座者の背から作用する力で弾性変形可能に構成されている。
【００３１】
この上材５６Ａ、５６Ｂは、下端がそれぞれ対応する下材５７Ａ、５７Ｂに連結され、上端が上枠部５２及び背凭れ後部支持部材４０の一対の連結片４３Ａ、４３Ｂに連結され、上方に向かうにしたがって下材５７Ａ、５７Ｂよりも相対的に後方へ傾斜するように形成されている。
【００３２】
上材５６Ａ、５６Ｂは、本実施形態では、下材５７Ａ、５７Ｂの上端から上方に向かうにしたがってしだいに後方に傾斜するように形成されている。
【００３３】
このように縦枠部５３Ａ，５３Ｂは、下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成されており、縦枠部５３Ａ，５３Ｂは、全体として前方に向かって凸となるように湾曲形成されている。
【００３４】
（背凭れ後部支持部材）
図２に示すように、背凭れ後部支持部材４０は、背凭れ支持体２０に連結された下部連結部４１と、該下部連結部４１から上方へ向かって延びる中間連結部４２と、該中間連結部４２の上端から上方に向かうにしたがってしだいに幅方向外側に広がるように配された上部連結部４３とを有する。
【００３５】
下部連結部４１は、下部後面に背凭れ支持体２０の一対の後向腕部２３の後端が嵌合する凹部（不図示）が形成されており、一対の後向腕部２３は該凹部に嵌合されている。そして、下部連結部４１は、該凹部にて背凭れ支持体２０の上部と例えば、ボルト・ナット（不図示）による螺着によって固定される。さらに下部連結部４１は、下端にて背凭れ５０における縦枠部５３Ａ，５３Ｂの下材５７Ａ，５７Ｂに連結されている。
【００３６】
図１，図４及び図５に示すように、中間連結部４２は、下端が下部連結部４１に連結され上方に向かって配され、上端が上部連結部４３に連結されている。また、中間連結部４２は、上方に向かうにしたがって幅方向の長さ寸法がしだいに狭くなり、途中から上方に向かうにしたがって幅方向の長さ寸法が再び広くなるように形成されている。
【００３７】
この中間連結部４２は、前面が凹面、後面が凸面となるような水平断面が横向きＵ字状の形成されている。そして、中間連結部４２は、凹面状の形成された前面に、前方に向かって突出し略水平方向に延在する横リブ４２Ａが上下方向に離間して複数形成され、また前方に向かって突出し略鉛直方向に延在する縦リブ４２Ｂが椅子１の幅方向に離間して複数形成されている。
【００３８】
本実施形態では、横リブ４２Ａが４本形成され、これら横リブ４２Ａと交差するように縦リブ４２Ｂが２本形成されている。中間連結部４２では、水平断面が横向きＵ字状に形成されることに加えて、これら横リブ４２Ａ及び縦リブ４２Ｂにより、剛性が高められている。
【００３９】
上部連結部４３は、下端が中間連結部４２に連結され、上方に向かうにしたがってしだいに幅方向外側に広がるとともに、上方に向かうにしたがってしだいに前方へ傾斜するように形成されている。
【００４０】
この上部連結部４３は、本実施形態では、上方に向かうにしたがってしだいに互いに幅方向外側に離間するように配され、上端が背凭れ５０における縦枠部５３Ａ，５３Ｂの上材５６Ａ，５６Ｂに連結された一対の連結片４３Ａ、４３Ｂを有し、一対の連結片４３Ａ、４３Ｂによって全体としてＶ字状に形成されている。
この一対の連結片４３Ａ、４３Ｂは、縦枠部５３Ａ，５３Ｂの捩れにともなって変位可能に構成されている。
【００４１】
上記の下部連結部４１、中間連結部４２及び上部連結部４３を構成する一対の連結片４３Ａ，４３Ｂは、一体成形されており、背凭れ後部支持部材４０は、全体として側面視して後方に凸となるように湾曲形成されている。
【００４２】
つまり、下部連結部４１は、湾曲しつつ全体として上方に向かうにしたがって後方へと向かうように傾斜している。また、上部連結部４３を構成する一対の連結片４３Ａ、４３Ｂは、湾曲しつつ上方に向かうにしたがって前方へと向かうように傾斜している。そして、中間連結部４２は、湾曲しつつ、上部連結部４３と下部連結部４１とを連結している。
【００４３】
図２に示すように、上記の背凭れ後部支持部材４０と縦枠部５３とは、側面視して環状に一体成形されている。本実施形態では、背凭れ後部支持部材４０の下部連結部４１、中間連結部４２、一方の連結片４３Ａ、一方の縦枠部５３Ａの上材５６Ａ及び下材５７Ａにより、側面視して環状の第一の環状部６１を構成している。
【００４４】
また、背凭れ後部支持部材４０の下部連結部４１、中間連結部４２、他方の連結片４３Ｂ、他方の縦枠部５３Ｂの上材５６Ｂ及び下材５７Ｂにより、側面視して環状の第二の環状部６２を構成している。
【００４５】
そして、これら第一の環状部６１及び第二の環状部６２は、下部連結部４１及び中間連結部４２で連結されるとともに、全体として一体成形されている。また、上枠部５２も、第一の環状部６１及び第二の環状部６２のそれぞれの上端を連結されるように一体成形されている。
【００４６】
すなわち、本実施形態では、背凭れ後部支持部材４０の各部と、背凭れ５０の上枠部５２及び一対の縦枠部５３Ａ，５３Ｂとが一体成形されている。
【００４７】
次に、上記のように構成された椅子１の座部３０に着座者が着座した場合における椅子１の背凭れ後部支持部材４０及び背凭れ５０の動作について説明する。
【００４８】
図４の実線及び図７（ａ）は着座者が座部３０に着座して背凭れ５０に凭れかかっていない状態の椅子１を示し、図４の二点鎖線及び図７（ｂ）は着座者が背凭れ５０に凭れかかった状態の椅子１を示す。
【００４９】
着座者が背凭れ５０に凭れかかると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００５０】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００５１】
この縦枠部５３Ａ，５３Ｂが弾性変形するにともない、張り材５１は幅方向略中央部が後方に向かって突出する円弧状に一層変形することが可能となるとともに、背凭れ５０は背凭れ後部支持部材４０に支持されている。
【００５２】
さらに、着座者が、背凭れ５０の幅方向一方側から後方へと振り向くような姿勢をとった場合には、図６（ｂ）に示すように、着座者からの荷重が、背凭れ５０の幅方向一方側に偏って作用し、偏った側の縦枠部５３Ｂに対して縦枠部５３Ｂを捩れ変形させる荷重が作用する。
【００５３】
ここで、縦枠部５３Ｂにおける上材５６Ｂが、着座者の背から作用する力で捩れ変形可能に構成されている。また、連結片４３Ａ，４３Ｂが下方に向かうにしたがって離間する幅を狭めるように形成され互いに接合されて中間連結部４２に連結されているため、中間連結部４２は上材５６Ｂの捩れ変形を促す構成とされている。よって、上材５６Ｂが着座者の荷重にしたがって着座者の背に追従するように後側方に向かって捩れて変形する。
【００５４】
また、上材５６Ｂに連結された連結片４３Ｂは、上材５６Ｂの捩れにともなって変位可能に構成されているため、縦枠部５３Ｂの後側方に向かう捩れにともなって後側方へと変位する。
背凭れ５０における張り材５１は、着座者からの荷重により、該張り材５１のメッシュを構成する糸材が弾性的に伸縮して、着座者の背を包み込むように弾性変形する。
【００５５】
このように、上材５６Ｂ、連結片４３Ｂ及び張り材５１は、着座者の背や肩の変形に追従してこれら背や肩を包み込むようにして変形する。
なお、着座者が背凭れ５０の幅方向他方側から方向へと振り向くような姿勢をとった場合も、同様に動作する。
【００５６】
このように構成された椅子１では、着座者が座部３０に着座し、着座者の背が背凭れ５０の張り材５１で受け止められると、着座者の荷重が張り材５１から一対の縦枠部５３Ａ，５３Ｂに伝えられる。縦枠部５３Ａ，５３Ｂの上材５６Ａ，５６Ｂは、背凭れ支持体２０に支持された背凭れ後部支持部材４０の上部連結部４３に連結支持され、下材５７Ａ，５７Ｂは背凭れ後部支持部材４０の下部連結部４１に連結されているため、縦枠部５３Ａ，５３Ｂ、背凭れ後部支持部材４０及び背凭れ支持体２０により着座者からの荷重を確実に支持することができる。
【００５７】
また、幅方向一方側から後方へと振り向くような姿勢をとった場合には、着座者からの荷重は、背凭れ５０の幅方向一方側に偏って作用し、偏った側の縦枠部５３Ａ，５３Ｂに対して縦枠部５３Ａ，５３Ｂを捩れ変形させる荷重が作用する。縦枠部５３Ａ，５３Ｂの上材５６Ａ，５６Ｂは、張り材５１から作用する力により捩れ変形するため、着座者の荷重にしたがって着座者の背や肩の変形に追従にするように変形して背を張り材とともに包み込むように受け止めて、背凭れ５０を後方へと傾斜させることができる。
【００５８】
また、着座者からの荷重が背凭れ５０の張り材５１から一対の縦枠部５３Ａ，５３Ｂに伝えられると、縦枠部５３Ａ，５３Ｂの上材５６Ａ，５６Ｂは捩れ変形する。上材５６Ａ，５６Ｂと連結された一対の連結片４３Ａ，４３Ｂは、上材５６Ａ，５６Ｂの捩れ変形にともなって変位する。よって、幅方向一方側から後方へと振り向くような姿勢をとった場合には、一方側の上材５６Ａ，５６Ｂが捩れ変形するとともに一方側の連結片４３Ａ，４３Ｂが変位して、背を張り材とともに包み込むように受け止めることができるため、着座者の背や肩に変形に追従した状態で安定的に支持することができる。
【００５９】
このように、縦枠部５３Ａ，５３Ｂの上材５６Ａ，５６Ｂ、張り材５１及び連結片４３Ａ，４３Ｂが、着座者の背や肩の変形に追従して、後方へと傾斜しながらこれら背や肩を安定的に支持することができる。
【００６０】
一方、縦枠部５３Ａ，５３Ｂの下材５７Ａ，５７Ｂは張り材５１とともに着座者の背より下方の腰回り等を確実に支持する。よって、幅方向一方側から後方へと振り向くような姿勢をとった場合には、下材５７Ａ，５７Ｂが張り材５１とともに着座者の腰回りを支持することができる。
【００６１】
また、着座者から後方に向かって作用する力に対しては、着座者の背が背凭れ５０の張り材５１で受け止められると、着座者の荷重が張り材５１から上枠部５２と一対の縦枠部５３Ａ，５３Ｂに伝えられる。上枠部５２は、背凭れ後部支持部材４０の一対の連結片４３Ａ，４３Ｂに連結支持され、該背凭れ後部支持部材４０は背凭れ支持体２０に支持されている。よって、上枠部５２、背凭れ後部支持部材４０及び背凭れ支持体２０により着座者からの荷重を確実に支持することができる。
【００６２】
一方、上枠部５２の幅方向両端部に連結された一対の縦枠部５３Ａ，５３Ｂは、張り材５１から作用する力により弾性変形するため、着座者の荷重にしたがって着座者の背に追従するように変形して背を張り材５１とともに包み込むように受け止めることができる。このため、着座者は、安定した状態で着座することができる。
【００６３】
また、縦枠部５３Ａ，５３Ｂを構成する上材５６Ａ，５６Ｂは、張り材５１から作用する力により弾性変形するため、着座者の荷重にしたがって着座者の背に追従にするように変形して背を張り材５１とともに包み込むように受け止めることができる。
【００６４】
一方、縦枠部５３Ａ，５３Ｂを構成する下材５７Ａ，５７Ｂは、上方に向かうにしたがってしだいに前方に傾斜するように形成されているため、着座者から後方に向かって作用する荷重を下材５７Ａ，５７Ｂの先端で受けて下材５７Ａ，５７Ｂ自体の軸力で確実に支持することができる。
【００６５】
このように縦枠部５３Ａ，５３Ｂは下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成され、全体として前方に向かって凸となるように湾曲形成されている。よって、前後方向へは縦枠部５３Ａ，５３Ｂ自体の変形を抑制して着座者の荷重を確実に受け止めることができ、幅方向には縦枠部５３Ａ，５３Ｂ自体が内側に向かって着座者の背に追従するように撓み変形して背を包み込むように受け止めることができる。
【００６６】
（第二実施形態）
以下、本発明の第二実施形態に係る椅子２０１について、図８、図９を用いて説明する。
この実施形態において、前述した実施形態で用いた部材と同一の部材には同一の符号を付して、その説明を省略する。
【００６７】
第一実施形態における椅子１では、背凭れ後部支持部材４０の下部連結部４１と上部連結部４３との間配される中間連結部４２は、着座者の背から背凭れ５０に作用する荷重を支持する構成とされている。一方、本実施形態に係る椅子２０１では、背凭れ後部支持部材２４０の下部連結部４１と上部連結部４３との間に配される部材は、変形許容部２４２として構成されている。
【００６８】
変形許容部２４２は、その下端が下部連結部４１に連結され、その上端が上部連結部４３に連結され、この変形許容部２４２の前面にはリブが形成されていない。また、変形許容部２４２は、着座者の背から背凭れ５０に作用する荷重にしたがって弾性変形可能である。
【００６９】
次に、上記のように構成された椅子２０１の座部３０に着座者が着座して、背凭れ５０（図１参照。以下同じ。）に凭れかかった場合における椅子２０１の背凭れ後部支持部材２４０及び背凭れ５０の動作について説明する。
【００７０】
図９の実線は着座者が座部３０に着座して背凭れ５０に凭れかかっていない状態の椅子２０１を示し、図９の二点鎖線は着座者が背凭れ５０に凭れかかった状態の椅子２０１を示す。
【００７１】
着座者が背凭れ５０に凭れかかると、背凭れ５０の張り材５１に着座者からの力が作用し、この力により張り材５１は着座者の背に沿って、幅方向略中央部が後方に向かって突出するように円弧状に変形する。
【００７２】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００７３】
また、縦枠部５３Ａ，５３Ｂに連結された背凭れ後部支持部材２４０のうち変形許容部２４２は、着座者の背から背凭れ５０に作用する荷重にしたがって弾性変形可能である。よって、変形許容部２４２は、その下端を中心として、上方に向かうにしたがってしだいに後方へ傾斜するように変形する。そして、変形許容部２４２の変形にともない、該変形許容部２４２の上方に配された上部連結部４３は後方に移動し、該上部連結部４３に連結された背凭れ５０はさらに後方へ傾斜することが可能となる。
【００７４】
このように構成された椅子２０１では、着座者から背凭れ５０に後方へ向かって荷重が作用すると、着座者の荷重が背凭れ５０を支持する背凭れ後部支持部材２４０に伝達される。この際、背凭れ後部支持部材２４０のうち、背凭れ支持体２０に連結された下部連結部４１と背凭れ５０に連結された上部連結部４３との間に設けられた変形許容部２４２が、上方に向かうにしたがってしだいに後方に傾斜するように弾性変形する。この変形許容部２４２の変形とともに、背凭れ後部支持部材２４０に支持された背凭れ５０はその姿勢を大きく後方に傾斜させることができる。
【００７５】
また、上述した実施の形態において示した動作手順、あるいは各構成部材の諸形状や組み合わせ等は一例であって、本発明の主旨から逸脱しない範囲において設計要求等に基づき種々変更可能である。
【００７６】
上記の実施形態において、縦枠部５３Ａ，５３Ｂのうち上材５６Ａ，５６Ｂが張り材５１から作用する力に応じて捩れ変形可能に構成されているが、上材５６Ａ，５６Ｂ及び下材５７Ａ，５７Ｂの両方が張り材５１から作用する力に応じて捩れ変形可能に構成されていてもよい。
このような構成では、縦枠部５３Ａ，５３Ｂの上下方向にわたって捩れ変形が可能であるため、着座者が幅方向一方側から後方へと振り向くような姿勢をとった場合に、縦枠部５３Ａ，５３Ｂの下部から背の変形に対応して捩れることが可能となる。よって、後方へと大きく振り向くような姿勢をとっても、着座者の背の変形に応じて追従して支持することが可能となる。
【００７７】
また、縦枠部５３Ａ，５３Ｂが下方から上方に向かうにしたがって、張り材５１から作用する力に応じて次第に捩れ変形可能に構成されていてもよい。
このような構成では、着座者が幅方向一方側から後方へと振り向くような姿勢をとった場合に、背が下方から上方に向かうにしたがって次第に大きく捩れるように変形することに対応して、縦枠部５３Ａ，５３Ｂも下方から上方に向かうにしたがって次第に大きく捩れることができる。よって、着座者の背の変形に確実に対応して変形することが可能であるため、背凭れとともに着座者の背の上下方向にわたって追従してより安定的に支持することができる。
【００７８】
また、縦枠部５３Ａ，５３Ｂが張り材５１から作用する力に応じて弾性変形しない構成であってもよい。
このような構成では、縦枠部５３Ａ，５３Ｂを簡易な構成としながら、着座者が幅方向一方側から後方へと振り向くような姿勢をとった場合に、縦枠部５３Ａ，５３Ｂが捩れ変形して、背凭れ５０を後方へと傾斜させることができる。
【００７９】
例えば、上記に示した実施形態においては、背凭れ後部支持部材４０と背凭れ５０とが一体成形されているが、背凭れ後部支持部材４０と背凭れ５０とを別部材とすることも可能である。
【符号の説明】
【００８０】
１，２０１…椅子
１０…脚体
２０…背凭れ支持体
４０…背凭れ後部支持部材
４１…下部連結部
４２…中間連結部
４３…上部連結部
４３Ａ，４３Ｂ…一対の連結片
５０…背凭れ
５１…張り材
５２…上枠部
５３Ａ，５３Ｂ（５３）…縦枠部
５６Ａ，５６Ｂ（５６）…上材
５７Ａ，５７Ｂ（５７）…下材
【図１】
2014079511.tif 000003
【図２】
2014079511.tif 000004
【図３】
2014079511.tif 000005
【図４】
2014079511.tif 000006
【図５】
2014079511.tif 000007
【図６】
2014079511.tif 000008
【図７】
2014079511.tif 000009
【図８】
2014079511.tif 000010
【図９】
2014079511.tif 000011